【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
送信機が、同じ周波数上で２つまたはそれ以上の無線アクセスネットワーク（ＲＡＮ）によって共有される複数の送信スロットのための送信フレームの複数の送信スロット割当ての現在の置換を決定することと、
前記送信機が、前記送信機に関連するインデックスに従って前記現在の置換において前記複数の送信スロット割当てのうちの割り当てられた送信スロットを選択することと、
前記送信機が、前記割り当てられた送信スロット上で送信を開始することと
を備え、ここにおいて、送信を開始することは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することとを含む、
ワイヤレス通信の方法。
【請求項２】
前記現在の置換を前記決定することは、
前記送信機が、複数の置換のシーケンスを決定することと、ここにおいて、前記複数の置換が前記複数の送信スロットの一意の割当て組合せに基づき、ここにおいて、前記複数の置換の前記シーケンスが、
ランダムまたは擬似ランダムのいずれかで決定される、
前記送信機が、前記複数の置換の前記シーケンスから前記送信フレームのための前記現在の置換を選択することと
を含む、請求項１に記載の方法。
【請求項３】
次の送信フレームのための次の置換を決定することと、ここにおいて、前記次の置換が前記複数の置換の前記シーケンスから選択される、
前記送信機に関連する前記インデックスに従って前記次の置換において前記複数の送信スロット割当てのうちの次の割り当てられた送信スロットを選択することと、
前記次の割り当てられた送信スロット上で追加の送信を開始することと
をさらに含む、請求項２に記載の方法。
【請求項４】
前記複数の置換の前記シーケンスがホッピング関数を含み、ここにおいて、前記ホッピング関数は、前記シーケンス中の１つまたは複数の置換と、その後に続く、１つまたは複数の対応する後続の置換が前記１つまたは複数の置換に対する時間反転された複数の送信スロット割当てを含む前記１つまたは複数の対応する後続の置換とを与える、請求項２に記載の方法。
【請求項５】
前記ホッピング関数は、
前記１つまたは複数の置換のうちの第１の置換と、隣接してその後に続く前記第１の置換に対応する前記１つまたは複数の対応する後続の置換のうちの第１の時間反転された置換と、前記第１の時間反転された置換は、前記１つまたは複数の置換のうちの次の置換が隣接してその後に続き、前記次の置換に対応する前記１つまたは複数の対応する後続の置換のうちの次の時間反転された置換が隣接してその後に続く、
を含むように前記シーケンスを与える、請求項４に記載の方法。
【請求項６】
前記ホッピング関数は、
前記１つまたは複数の置換のうちの複数の隣接する第１の置換、前記複数の隣接する第１の置換のうちの最後は、前記第１の置換に対応する前記１つまたは複数の対応する後続の置換のうちの複数の隣接する時間反転された置換が隣接してその後に続き、ここにおいて、前記シーケンスは、前記複数の隣接する第１の置換と、隣接してその後に続く前記複数の隣接する時間反転された置換とで繰り返す、
を含むように前記シーケンスを与える、請求項４に記載の方法。
【請求項７】
前記ホッピング関数は、
前記１つまたは複数の置換のうちの第１の置換の複数の隣接するペアと、隣接してその後に続く前記第１の置換に対応する前記１つまたは複数の対応する後続の置換のうちの第１の時間反転された置換と、前記複数の隣接するペアのうちの最後は、前記１つまたは複数の置換のうちの次の置換の次の複数の隣接するペアが隣接してその後に続き、前記次の置換に対応する前記１つまたは複数の対応する後続の置換のうちの次の時間反転された置換が隣接してその後に続く、ここにおいて、前記シーケンスは、前記複数の隣接するペアと、隣接してその後に続く前記次の複数の隣接するペアとで繰り返す、
を含むように前記シーケンスを与える、請求項４に記載の方法。
【請求項８】
前記現在の置換を前記決定することは、
前記送信機が、前記複数の送信スロットの一意の割当て組合せに基づいて第１の置換を決定することと、
複数の置換のシーケンスを生成することと、ここにおいて、前記複数の置換が前記第１の置換と１つまたは複数の追加の置換とを含み、ここにおいて、前記１つまたは複数の追加の置換の各々が前記複数の置換中の前の置換から同じ量だけサイクリックシフトされる、
前記送信機が、前記複数の置換の前記シーケンスから前記送信フレームのための前記現在の置換を選択することと
を含む、請求項１に記載の方法。
【請求項９】
前記送信機が、前記割り当てられた送信スロット上の失敗した送信の数を検出することと、
失敗した送信の前記数が所定のしきい値を超えることに応答して、前記送信機が、予約済み送信スロットを再選択することと、ここにおいて、前記予約済み送信スロットが前記複数の共通送信スロットとは別個である、
をさらに備える、請求項１に記載の方法。
【請求項１０】
前記送信機が、前記再選択することの後に前記予約済み送信スロット上の失敗した送信の次の数を検出することと、
前記送信機が、失敗した送信の前記次の数が別の所定のしきい値を超えることに応答して新しい送信機グループ識別子を選択することと、
前記送信機が、複数の置換のシーケンスから新しい現在の置換を決定することと、ここにおいて、前記新しい現在の置換が前記新しい送信機グループ識別子に基づいて決定される、
をさらに含む、請求項９に記載の方法。
【請求項１１】
プログラムコードを記録したコンピュータ可読媒体であって、前記プログラムコードは、コンピュータに、請求項１から１０のうちのいずれかに記載の方法を実行させる、コンピュータ可読媒体。
【請求項１２】
送信機が、同じ周波数上で２つまたはそれ以上の無線アクセスネットワーク（ＲＡＮ）によって共有される複数の送信スロットのための送信フレームの複数の送信スロット割当ての現在の置換を決定するための手段と、
前記送信機が、前記送信機に関連するインデックスに従って前記現在の置換において前記複数の送信スロット割当てのうちの割り当てられた送信スロットを選択するための手段と、
前記送信機が、前記割り当てられた送信スロット上で送信を開始するための手段と
を備え、ここにおいて、開始するための前記手段は、
前記割り当てられた送信スロット上でクリアチャネルアセスメント（ＣＣＡ）を実行するための手段と、ここにおいて、前記同じ周波数が無認可周波数である、
前記ＣＣＡがクリアとして前記送信機によって検出されたことに応答して、チャネル使用ビーコン信号（ＣＵＢＳ）を送信するための手段とを含む、
ワイヤレス通信のために構成された装置。
【請求項１３】
選択するための前記手段が、前記送信機に関連するグループ識別子に少なくとも部分的に基づく、請求項１２に記載の装置。
【請求項１４】
前記現在の置換を決定するための前記手段は、
前記送信機が、前記複数の送信スロットの一意の割当て組合せに基づいて第１の置換を決定するための手段と、
複数の置換のシーケンスを生成するための手段と、ここにおいて、前記複数の置換が前記第１の置換と１つまたは複数の追加の置換とを含み、ここにおいて、前記１つまたは複数の追加の置換の各々が前記複数の置換中の前の置換から同じ量だけサイクリックシフトされる、
前記送信機が、前記複数の置換の前記シーケンスから前記送信フレームのための前記現在の置換を選択するための手段と
を含む、請求項１２に記載の装置。
【手続補正２】
【補正対象書類名】明細書
【補正対象項目名】００７５
【補正方法】変更
【補正の内容】
【００７５】
[0082]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信の方法であって、
送信機が、同じ周波数上で２つまたはそれ以上の無線アクセスネットワーク（ＲＡＮ）によって共有される複数の送信スロットのための送信フレームの複数の送信スロット割当ての現在の置換を決定することと、
前記送信機が、前記送信機に関連するインデックスに従って前記現在の置換において前記複数の送信スロット割当てのうちの割り当てられた送信スロットを選択することと、
前記送信機が、前記割り当てられた送信スロット上で送信を開始することと
を備える、ワイヤレス通信の方法。
［Ｃ２］
送信を開始することは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することと
を含む、Ｃ１に記載の方法。
［Ｃ３］
前記現在の置換を前記決定することは、
前記送信機が、複数の置換のシーケンスを決定することと、ここにおいて、前記複数の置換が前記複数の送信スロットの一意の割当て組合せに基づき、ここにおいて、前記複数の置換の前記シーケンスが、ランダムまたは擬似ランダムのいずれかで決定される、
前記送信機が、前記複数の置換の前記シーケンスから前記送信フレームのための前記現在の置換を選択することと
を含む、Ｃ１に記載の方法。
［Ｃ４］
次の送信フレームのための次の置換を決定することと、ここにおいて、前記次の置換が前記複数の置換の前記シーケンスから選択される、
前記送信機に関連する前記インデックスに従って前記次の置換において前記複数の送信スロット割当てのうちの次の割り当てられた送信スロットを選択することと、
前記次の割り当てられた送信スロット上で追加の送信を開始することと
をさらに含む、Ｃ３に記載の方法。
［Ｃ５］
前記複数の置換の前記シーケンスがホッピング関数を含み、ここにおいて、前記ホッピング関数は、前記シーケンス中の１つまたは複数の置換と、その後に続く、１つまたは複数の対応する後続の置換が前記１つまたは複数の置換に対する時間反転された複数の送信スロット割当てを含む前記１つまたは複数の対応する後続の置換とを与える、Ｃ３に記載の方法。
［Ｃ６］
前記ホッピング関数は、
前記１つまたは複数の置換のうちの前記第１の置換と、隣接してその後に続く前記第１の置換に対応する前記１つまたは複数の対応する後続の置換のうちの第１の時間反転された置換と、前記第１の時間反転された置換は、前記１つまたは複数の置換のうちの次の置換が隣接してその後に続き、前記次の置換に対応する前記１つまたは複数の対応する後続の置換のうちの次の時間反転された置換が隣接してその後に続く、
を含むように前記シーケンスを与える、Ｃ５に記載の方法。
［Ｃ７］
前記ホッピング関数は、
前記１つまたは複数の置換のうちの複数の隣接する第１の置換、前記複数の隣接する第１の置換のうちの最後は、前記第１の置換に対応する前記１つまたは複数の対応する後続の置換のうちの複数の隣接する時間反転された置換が隣接してその後に続き、ここにおいて、前記シーケンスは、前記複数の隣接する第１の置換と、隣接してその後に続く前記複数の隣接する時間反転された置換とで繰り返す、
を含むように前記シーケンスを与える、Ｃ５に記載の方法。
［Ｃ８］
前記ホッピング関数は、
前記１つまたは複数の置換のうちの第１の置換の複数の隣接するペアと、隣接してその後に続く前記第１の置換に対応する前記１つまたは複数の対応する後続の置換のうちの第１の時間反転された置換と、前記複数の隣接するペアのうちの最後は、前記１つまたは複数の置換のうちの次の置換の次の複数の隣接するペアが隣接してその後に続き、前記次の置換に対応する前記１つまたは複数の対応する後続の置換のうちの次の時間反転された置換が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ５に記載の方法。
［Ｃ９］
前記現在の置換を前記決定することは、
前記送信機が、前記複数の送信スロットの一意の割当て組合せに基づいて第１の置換を決定することと、
複数の置換のシーケンスを生成することと、ここにおいて、前記複数の置換が前記第１の置換と１つまたは複数の追加の置換とを含み、ここにおいて、前記１つまたは複数の追加の置換の各々が前記複数の置換中の前の置換から同じ量だけサイクリックシフトされる、
前記送信機が、前記複数の置換の前記シーケンスから前記送信フレームのための前記現在の置換を選択することと
を含む、Ｃ１に記載の方法。
［Ｃ１０］
送信機が、同じ周波数上で２つまたはそれ以上の無線アクセスネットワーク（ＲＡＮ）によって共有される複数の共通送信スロットのための送信フレームの複数の送信スロット割当ての現在の置換を決定することと、
前記送信機が、前記送信機に関連するインデックスに従って前記現在の置換において前記複数の送信スロット割当てのうちの割り当てられた送信スロットを選択することと、
前記送信機が、前記割り当てられた送信スロット上の失敗した送信の数を検出することと、
失敗した送信の前記数が所定のしきい値を超えたことに応答して、前記送信機が、予約済み送信スロットを再選択することと、ここにおいて、前記予約済み送信スロットが前記複数の共通送信スロットとは別個である、
を備える、ワイヤレス通信の方法。
［Ｃ１１］
前記送信機が、前記再選択することの後に前記予約済み送信スロット上の失敗した送信の次の数を検出することと、
前記送信機が、失敗した送信の前記次の数が別の所定のしきい値を超えたことに応答して新しい送信機グループ識別子を選択することと、
前記送信機が、複数の置換のシーケンスから新しい現在の置換を決定することと、ここにおいて、前記新しい現在の置換が前記新しい送信機グループ識別子に基づいて決定される、
をさらに含む、Ｃ１０に記載の方法。
［Ｃ１２］
プログラムコードを記録したコンピュータ可読媒体であって、前記プログラムコードは、
送信機が、同じ周波数上で２つまたはそれ以上の無線アクセスネットワーク（ＲＡＮ）によって共有される複数の送信スロットのための送信フレームの複数の送信スロット割当ての現在の置換を決定することをコンピュータに行わせるためのプログラムコードと、
前記送信機が、前記送信機に関連するインデックスに従って前記現在の置換において前記複数の送信スロット割当てのうちの割り当てられた送信スロットを選択することを前記コンピュータに行わせるためのプログラムコードと、
前記送信機が、前記割り当てられた送信スロット上で送信を開始することを前記コンピュータに行わせるためのプログラムコードと
を備える、コンピュータ可読媒体。
［Ｃ１３］
送信を開始することを前記コンピュータに行わせるためのプログラムコードは、
前記割り当てられた送信スロット上でクリアチャネルアセスメント（ＣＣＡ）を実行することと、ここにおいて、前記同じ周波数が無認可周波数である、
前記ＣＣＡがクリアとして前記送信機によって検出されたことに応答して、チャネル使用ビーコン信号（ＣＵＢＳ）を送信することと
を前記コンピュータに行わせるためのプログラムコードを含む、Ｃ１２に記載のコンピュータ可読媒体。
［Ｃ１４］
前記現在の置換を決定することを前記コンピュータに行わせるための前記プログラムコードは、
前記送信機が、複数の置換のシーケンスを決定することと、ここにおいて、前記複数の置換が前記複数の送信スロットの一意の割当て組合せに基づき、ここにおいて、前記複数の置換の前記シーケンスが、ランダムまたは擬似ランダムのいずれかで決定される、
前記送信機が、前記複数の置換の前記シーケンスから前記送信フレームのための前記現在の置換を選択することと
を前記コンピュータに行わせるためのプログラムコードを含む、Ｃ１２に記載のコンピュータ可読媒体。
［Ｃ１５］
次の送信フレームのための次の置換を決定することと、ここにおいて、前記次の置換が前記複数の置換の前記シーケンスから選択される、
前記送信機に関連する前記インデックスに従って前記次の置換において前記複数の送信スロット割当てのうちの次の割り当てられた送信スロットを選択することと、
前記次の割り当てられた送信スロット上で追加の送信を開始することと
を前記コンピュータに行わせるためのプログラムコードをさらに含む、Ｃ１４に記載のコンピュータ可読媒体。
［Ｃ１６］
前記複数の置換の前記シーケンスがホッピング関数を含み、ここにおいて、前記ホッピング関数は、前記シーケンス中の１つまたは複数の置換と、その後に続く、１つまたは複数の対応する後続の置換が前記１つまたは複数の置換に対する時間反転された複数の送信スロット割当てを含む前記１つまたは複数の対応する後続の置換とを与える、Ｃ１４に記載のコンピュータ可読媒体。
［Ｃ１７］
前記ホッピング関数は、
前記１つまたは複数の置換のうちの前記第１の置換と、隣接してその後に続く前記第１の置換に対応する前記１つまたは複数の対応する後続の置換のうちの第１の時間反転された置換と、前記第１の時間反転された置換は、前記１つまたは複数の置換のうちの次の置換が隣接してその後に続き、前記次の置換に対応する前記１つまたは複数の対応する後続の置換のうちの次の時間反転された置換が隣接してその後に続く、
を含むように前記シーケンスを与える、Ｃ１６に記載のコンピュータ可読媒体。
［Ｃ１８］
前記ホッピング関数は、
前記１つまたは複数の置換のうちの複数の隣接する第１の置換、前記複数の隣接する第１の置換のうちの最後は、前記第１の置換に対応する前記１つまたは複数の対応する後続の置換のうちの複数の隣接する時間反転された置換が隣接してその後に続き、ここにおいて、前記シーケンスは、前記複数の隣接する第１の置換と、隣接してその後に続く前記複数の隣接する時間反転された置換とで繰り返す、
を含むように前記シーケンスを与える、Ｃ１６に記載のコンピュータ可読媒体。
［Ｃ１９］
前記ホッピング関数は、
前記１つまたは複数の置換のうちの第１の置換の複数の隣接するペアと、隣接してその後に続く前記第１の置換に対応する前記１つまたは複数の対応する後続の置換のうちの第１の時間反転された置換と、前記複数の隣接するペアのうちの最後は、前記１つまたは複数の置換のうちの次の置換の次の複数の隣接するペアが隣接してその後に続き、前記次の置換に対応する前記１つまたは複数の対応する後続の置換のうちの次の時間反転された置換が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ１６に記載のコンピュータ可読媒体。
［Ｃ２０］
送信機が、同じ周波数上で２つまたはそれ以上の無線アクセスネットワーク（ＲＡＮ）によって共有される複数の送信スロットのための送信フレームの複数の送信スロット割当ての現在の置換を決定するための手段と、
前記送信機が、前記送信機に関連するインデックスに従って前記現在の置換において前記複数の送信スロット割当てのうちの割り当てられた送信スロットを選択するための手段と、
前記送信機が、前記割り当てられた送信スロット上で送信を開始するための手段と
を備える、ワイヤレス通信のために構成された装置。
［Ｃ２１］
送信を開始するための手段は、
前記割り当てられた送信スロット上でクリアチャネルアセスメント（ＣＣＡ）を実行するための手段と、ここにおいて、前記同じ周波数が無認可周波数である、
前記ＣＣＡがクリアとして前記送信機によって検出されたことに応答して、チャネル使用ビーコン信号（ＣＵＢＳ）を送信するための手段と
を含む、Ｃ２０に記載の装置。
［Ｃ２２］
前記現在の置換を決定するための前記手段は、
前記送信機が、複数の置換のシーケンスを決定するための手段と、ここにおいて、前記複数の置換が前記複数の送信スロットの一意の割当て組合せに基づき、ここにおいて、前記複数の置換の前記シーケンスが、ランダムまたは擬似ランダムのいずれかで決定される、
前記送信機が、前記複数の置換の前記シーケンスから前記送信フレームのための前記現在の置換を選択するための手段と
を含む、Ｃ２０に記載の装置。
［Ｃ２３］
選択するための前記手段が、前記送信機に関連するグループ識別子に少なくとも部分的に基づく、Ｃ２２に記載の装置。
［Ｃ２４］
次の送信フレームのための次の置換を決定するための手段と、ここにおいて、前記次の置換が前記複数の置換の前記シーケンスから選択される、
前記送信機に関連する前記インデックスに従って前記次の置換において前記複数の送信スロット割当てのうちの次の割り当てられた送信スロットを選択するための手段と、
前記次の割り当てられた送信スロット上で追加の送信を開始するための手段と
をさらに含む、Ｃ２２に記載の装置。
［Ｃ２５］
前記複数の置換の前記シーケンスがホッピング関数を含み、ここにおいて、前記ホッピング関数は、前記シーケンス中の１つまたは複数の置換と、その後に続く、１つまたは複数の対応する後続の置換が前記１つまたは複数の置換に対する時間反転された複数の送信スロット割当てを含む前記１つまたは複数の対応する後続の置換とを与える、Ｃ２２に記載の装置。
［Ｃ２６］
前記ホッピング関数は、
前記１つまたは複数の置換のうちの前記第１の置換と、隣接してその後に続く前記第１の置換に対応する前記１つまたは複数の対応する後続の置換のうちの第１の時間反転された置換と、前記第１の時間反転された置換は、前記１つまたは複数の置換のうちの次の置換が隣接してその後に続き、前記次の置換に対応する前記１つまたは複数の対応する後続の置換のうちの次の時間反転された置換が隣接してその後に続く、
を含むように前記シーケンスを与える、Ｃ２５に記載の装置。
［Ｃ２７］
前記ホッピング関数は、
前記１つまたは複数の置換のうちの複数の隣接する第１の置換、前記複数の隣接する第１の置換のうちの最後は、前記第１の置換に対応する前記１つまたは複数の対応する後続の置換のうちの複数の隣接する時間反転された置換が隣接してその後に続き、ここにおいて、前記シーケンスは、前記複数の隣接する第１の置換と、隣接してその後に続く前記複数の隣接する時間反転された置換とで繰り返す、
を含むように前記シーケンスを与える、Ｃ２５に記載の装置。
［Ｃ２８］
前記ホッピング関数は、
前記１つまたは複数の置換のうちの第１の置換の複数の隣接するペアと、隣接してその後に続く前記第１の置換に対応する前記１つまたは複数の対応する後続の置換のうちの第１の時間反転された置換と、前記複数の隣接するペアのうちの最後は、前記１つまたは複数の置換のうちの次の置換の次の複数の隣接するペアが隣接してその後に続き、前記次の置換に対応する前記１つまたは複数の対応する後続の置換のうちの次の時間反転された置換が隣接してその後に続く、ここにおいて、前記シーケンスは、前記複数の隣接するペアと、隣接してその後に続く前記次の複数の隣接するペアとで繰り返す、
を含むように前記シーケンスを与える、Ｃ２５に記載の装置。
［Ｃ２９］
前記複数の隣接するペアに関連するフレームの第１のセットのための第１のチャネル局情報（ＣＳＩ）フィードバックを受信機に要求するための手段と、
前記次の複数の隣接するペアに関連するフレームの次のセットのための次のＣＳＩフィードバックを前記受信機に要求するための手段と
をさらに備える、Ｃ２８に記載の装置。
［Ｃ３０］
前記現在の置換を決定するための前記手段は、
前記送信機が、前記複数の送信スロットの一意の割当て組合せに基づいて第１の置換を決定するための手段と、
複数の置換のシーケンスを生成するための手段と、ここにおいて、前記複数の置換が前記第１の置換と１つまたは複数の追加の置換とを含み、ここにおいて、前記１つまたは複数の追加の置換の各々が前記複数の置換中の前の置換から同じ量だけサイクリックシフトされる、
前記送信機が、前記複数の置換の前記シーケンスから前記送信フレームのための前記現在の置換を選択するための手段と
を含む、Ｃ２０に記載の装置。